(57)【要約】【課題】接触不良及び誤検知を抑制することができるマイクロホンを提供する。【解決手段】マイクロホンがホルダー４０に係止された係止状態の場合には、ケース１の外面とフランジ部１４との間にホルダー４０が挟み込まれることでフック１０がケース１の外側へと引き出される。フック１０のロッド部１２が基板２から後退することで、検知回路が閉じられる。一方、マイクロホンがホルダー４０から取り外された取り外し状態の場合には、圧縮ばね１６の付勢力によってフック１０がケース１の内側へと引き込まれる。フック１０のロッド部１２が基板２に向かって進出することで、検知回路が開かれる。【選択図】図４
2022000936.tif 000002
【特許請求の範囲】
【請求項１】
ホルダーに係止された係止状態と前記ホルダーから取り外された取り外し状態とを検知するスイッチ機能を備えるマイクロホンにおいて、
前記係止状態と前記取り外し状態とを検知する検知回路が設けられた基板と、
前記基板を収容するケースと、
前記ケースに設けられており、前記ホルダーに対して係脱可能なフックと、
を有し、
前記フックは、
前記ケースの内外を貫通する嵌合孔に挿通されており、前記基板に対して進退することで前記検知回路の開閉を切り替えるロッド部と、
前記ケースの外側に露出して、前記ロッド部の端部に設けられたフランジ部と、
前記ロッド部を前記基板側へと付勢する付勢部材と、
を有し、
前記係止状態の場合には、前記ケースの外面と前記フランジ部との間に前記ホルダーが挟み込まれることで前記フックが前記ケースの外側へと引き出され、前記ロッド部が前記基板から後退することで前記検知回路を開状態及び閉状態のうち一方の状態に設定して、
前記取り外し状態の場合には、前記ケースの外面と前記フランジ部との間に前記ホルダーが存在せず、前記付勢部材の付勢力によって前記フックが前記ケースの内側へと引き込まれ、前記ロッド部が前記基板に向かって進出することで前記検知回路を開状態及び閉状態のうち他方の状態に設定する
ことを特徴とするマイクロホン。
【請求項２】
前記検知回路は、
押圧を受けて可動する可動子の動作に応じて前記検知回路を開閉するスイッチを備え、
前記ロッド部が前記基板に向かって進出した場合、前記ロッド部が前記可動子に当接することで、前記可動子が押圧され、
前記ロッド部が前記基板から後退した場合、前記ロッド部が前記可動子から離間することで、前記可動子の押圧が解除される
請求項１記載のマイクロホン。
【請求項３】
前記嵌合孔と前記ロッド部との嵌合部には、シール部材が設けられている
請求項１又は２記載のマイクロホン。
【発明の詳細な説明】
【技術分野】
【０００１】
本発明は、マイクロホンに関する。
【背景技術】
【０００２】
特許文献１には、マイクロホンのスイッチ構造が開示されている。マイクロホンのリアケースの背面には、回路基板の第１接点と導通されたハンガープレートと、回路基板の第２接点と導通されたハンガーノブとが設けられている。ハンガーノブを導電性のマイクロホンハンガーに掛止すると、ハンガープレートとハンガーノブとの間にマイクロホンハンガーが挿入され、ハンガープレートを介してハンガープレートとハンガーノブとの導通可能となる。マイクロホンは、ハンガープレートとハンガーノブとの導通及び遮断に基づいて、マイクロホンがハンガーノブに係止された係止状態と、マイクロホンがハンガーノブから取り外された取り外し状態とを検知することができる。
【先行技術文献】
【特許文献】
【０００３】
【特許文献１】特許３６０８８４９号公報
【発明の概要】
【発明が解決しようとする課題】
【０００４】
しかしながら、特許文献１に記載された構造は、ハンガープレートと導通する導通部品がケースの外側に露出しているので、摩擦又は埃などによる汚れ又は錆などにより、接触不良が起こる可能性がある。また、コインなどの金属が導通部品に触れることにより、誤検知が発生する可能性がある。
【０００５】
本発明は、上記問題に鑑みて成されたものであり、その目的は、接触不良及び誤検知を抑制することができるマイクロホンを提供することにある。
【課題を解決するための手段】
【０００６】
１又はそれ以上の実施形態の第１の態様によれば、ホルダーに係止された係止状態とホルダーから取り外された取り外し状態とを検知するスイッチ機能を備えるマイクロホンにおいて、係止状態と取り外し状態とを検知する検知回路が設けられた基板と、基板を収容するケースと、ケースに設けられており、ホルダーに対して係脱可能なフックと、を有するマイクロホンが提供される。このマイクロホンにおいて、フックは、ケースの内外を貫通する嵌合孔に挿通されており、基板に対して進退することで検知回路の開閉を切り替えるロッド部と、ケースの外側に露出して、ロッド部の端部に設けられたフランジ部と、ロッド部を基板側へと付勢する付勢部材と、を有する。係止状態の場合には、ケースの外面とフランジ部との間にホルダーが挟み込まれることでフックがケースの外側へと引き出され、ロッド部が基板から後退することで検知回路を開状態及び閉状態のうち一方の状態に設定する。取り外し状態の場合には、ケースの外面とフランジ部との間にホルダーが存在せず、付勢部材の付勢力によってフックがケースの内側へと引き込まれ、ロッド部が基板に向かって進出することで検知回路を開状態及び閉状態のうち他方の状態に設定する。
【発明の効果】
【０００７】
本発明によれば、接触不良及び誤検知を抑制することができるという効果を奏する。
【図面の簡単な説明】
【０００８】
【図１】図１は、本実施形態に係るマイクロホンを示す正面図である。
【図２】図２は、本実施形態に係るマイクロホンを示す背面図である。
【図３】図３は、本実施形態に係るマイクロホンを示す側面図である。
【図４】図４は、図１に示すマイクロホンのＩＩ断面を示す断面図である。
【図５】図５は、係止状態と取り外し状態とを検知する検知動作を説明する図である。
【図６】図６は、係止状態と取り外し状態とを検知する検知動作を説明する図である。
【発明を実施するための形態】
【０００９】
以下、図１から図４を参照し、本実施形態に係るマイクロホンについて説明する。このマイクロホンは、例えば車両に搭載される無線機に適用されている。マイクロホンは、ケーブル３２を介して無線機本体に接続することができる。車両の室内の所定の位置、例えばインストルメントパネルには、マイクロホンを係止するためのホルダー４０が取り付けられている。
【００１０】
マイクロホンは、マイクロホンがホルダー４０に係止された係止状態と、マイクロホンがホルダー４０から取り外された取り外し状態とを検知するスイッチ機能を備えている。マイクロホンは、ホルダー４０の係止状態と取り外し状態とを検知することで、予め割り当てられた割り当て機能のオンオフを切り替えることができる。割り当て機能としては、ＰＴＴ（Push to Talk）ノブ６を押さなくても直接通話することができるオンフック機能、通信可能なチャンネルをスキャンするスキャン機能などが挙げられる。
【００１１】
マイクロホンは、ケース１、基板２、及びフック１０を主体に構成されている。
【００１２】
ケース１は、基板２を内部に収容する筐体であり、合成樹脂などの材料から形成されている。ケース１は、互いに対向するフロントケース４と、リアケース５とで構成されている。フロントケース４の周縁部と、リアケース５の周縁部とは形状的に対応している。リアケース５は、リアケース５の周縁部がフロントケース４の周縁部と突き合うように、フロントケース４に対して取り付けられている。フロントケース４とリアケース５との取り付けは、例えば、ねじなどの締結具を用いて行われる。ケース１は、フロントケース４とリアケース５との間に空間が形成された閉断面を有している。
【００１３】
フロントケース４は、ケース１の正面を構成する。マイクロホンの使用時には、ケース１のうちフロントケース４が使用者の口と対向する。フロントケース４には、フロントケース４の内外を貫通する一つ以上の孔から構成される集音孔（図示せず）が設けられている。フロントケース４の背面側には、ねじ３を用いて基板２が固定されている。フロントケース４は、基板２の正面２ａと対向している。
【００１４】
リアケース５は、ケース１の背面を構成する。リアケース５によって基板２の背面２ｂ側が覆われている。リアケース５の中央には、リアケース５の内外を貫通する貫通孔である嵌合孔５ａが設けられている。
【００１５】
ケース１の側部には、音声信号の送受信を切り替えるＰＴＴノブ６が揺動自在に設けられている。このＰＴＴノブ６は、図示しない圧縮ばねにより、外方に向かって常に付勢されている。
【００１６】
基板２には、各種の電子部品が実装されており、基板２は、マイクロホンに要求される各種の機能を実現する回路を備えている。基板２は、ケーブル３２を介して無線機本体と電気的に接続されている。
【００１７】
基板２は、使用者の音声を集音する集音回路を備える。集音回路は、図示しないＥＣＭ（electret condenser microphone）ユニットを含む。ＥＣＭユニットは、基板２の正面２ａ側に設けられており、フロントケース４の集音孔と対応する位置に配置されている。
【００１８】
基板２は、ホルダー４０を検知する検知回路を備える。検知回路は、マイクロホン（具体的にはフック１０）がホルダー４０に係止された係止状態と、マイクロホンがホルダー４０から取り外された取り外し状態とを検知する。検知回路は、スイッチ２１を含む。スイッチ２１は、基板２の背面２ｂ側に設けられており、嵌合孔５ａと対向する位置に配置されている。
【００１９】
スイッチ２１は、検知回路の一部を構成し、この検知回路を開閉する。スイッチ２１は、押圧を受けて可動する可動子２１ａを備えており、可動子２１ａの動作に応じて検知回路を開閉する。スイッチ２１は、例えばａ接点スイッチである。すなわち、可動子２１ａを押圧すると、検知回路の一部を構成する一対の接点同士が導通され、検知回路は閉状態となる。逆に、可動子２１ａの押圧が解除されると、一対の接点同士が遮断され、検知回路が開状態となる。なお、スイッチ２１は、ａ接点に限らず、ｂ接点スイッチなどであってもよい。
【００２０】
基板２は、ＰＴＴ（Push to Talk）ノブ６の押圧操作に応じて、音声信号の送受信を切り替える切替回路を備えている。切替回路は、図示しないＰＴＴスイッチを含む。ＰＴＴスイッチは、通常は押圧されておらず、ＰＴＴノブ６を押圧した場合にのみ、押圧される。
【００２１】
フック１０は、ケース１に設けられている。フック１０は、ホルダー４０に対して係脱可能に構成されている。マイクロホンは、フック１０を介してホルダー４０に係止される。
【００２２】
フック１０は、ロッド部１２と、フランジ部１４と、圧縮ばね１６とを備えている。
【００２３】
ロッド部１２は、円柱形状を有する軸体である。ロッド部１２は、リアケース５の嵌合孔５ａに、嵌合状態で挿通されている。ロッド部１２は、軸方向に沿って摺動可能であり、基板２に対して進退することで、検知回路の開閉を切り替えることができる。なお、ロッド部１２は、嵌合孔５ａの開口形状と対応していればよく、必ずしも円柱形状でなくてもよい。
【００２４】
ロッド部１２の一方の端部である第１端部１２ａは、リアケース５を境に、ケース１の内側に位置する。第１端部１２ａは、基板２の背面２ｂに搭載されたスイッチ２１と対向している。ロッド部１２の他方の端部である第２端部１２ｂは、リアケース５を境に、ケース１の外部に位置している。
【００２５】
ロッド部１２と嵌合孔５ａとの嵌合部には、ロッド部１２が進退可能な程度の摺動性を確保しつつ、ケース１とロッド部１２との間をシールするためのシール部材１３が設けられている。シール部材１３は、例えばＯリングを用いることができる。
【００２６】
フランジ部１４は、ロッド部１２の第２端部１２ｂに設けられており、ケース１の外側に露出している。フランジ部１４の外径は、ロッド部１２の外径よりも幅広に形成されている。
【００２７】
フランジ部１４においてリアケース５と対向する対向面１４ａは、径方向の外側に向かうほど肉厚が薄くなるようなテーパー形状に形成されている。対向面１４ａをテーパー形状とすることで、対向面１４ａの全域がリアケース５と面接触することなく、対向面１４ａとリアケース５との間に隙間を設けることができる。フック１０をホルダー４０に係止するときには、この隙間により、フランジ部１４とリアケース５との間にホルダー４０を挿入することができる。
【００２８】
圧縮ばね１６は、ロッド部１２を基板２側へと付勢する。コイル状に巻回された圧縮ばね１６の中空部にロッド部１２が挿通されており、圧縮ばね１６は、ロッド部１２の周囲に設けられている。ロッド部１２の第１端部１２ａの近傍には、ロッド部１２の外周の一部を切り欠いた溝部が形成されている。
【００２９】
ロッド部１２の溝部には、この溝部に嵌合するようにスナップリング１５が取り付けられている。スナップリング１５は、圧縮ばね１６がロッド部１２から抜け落ちることを防止する機能を担っている。圧縮ばね１６の一方の端部は、スナップリング１５に当接し、その他方の端部は、リアケース５に当接している。これにより、圧縮ばね１６の反発力が、ロッド部１２を基板２側へと付勢する付勢力として伝達される。
【００３０】
ホルダー４０は、例えば、所要の形状を備えた板状の部材である。ホルダー４０には、フック１０を係止するためのＵ字形状のスリット４１が形成されている。スリット４１は、フック１０を上方から挿入するように、ホルダー４０の上端から中間部まで直線的に形成されている。スリット４１の幅は、ロッド部１２の外径よりも大きく、フランジ部１４の外径よりも小さく設定されている。
【００３１】
ホルダー４０のスリット４１には、スリット４１の上方からロッド部１２が挿入される。スリット４１がロッド部１２へ挿入されると、フランジ部１４はホルダー４０の背面に位置する。これにより、フック１０がホルダー４０によって係止される。一方、スリット４１の上方は開放されているため、フック１０をスリット４１に沿って上方へと持ち上げることで、ホルダー４０からフック１０を取り外すことができる。
【００３２】
以下、マイクロホンの係止状態と取り外し状態とを検知する検知動作を説明する。まず、図５を参照し、マイクロホンがホルダー４０から取り外された取り外し状態について説明する。取り外し状態の場合には、リアケース５の外面とフランジ部１４との間にホルダー４０が存在していない。フック１０は、圧縮ばね１６の付勢力によってケース１の内側へと引き込まれ、ロッド部１２は、基板２に向かって進出した状態となる。
【００３３】
ロッド部１２が進出した状態では、ロッド部１２の第１端部１２ａがスイッチ２１の可動子２１ａに当接することで、可動子２１ａが押圧される。可動子２１ａが押圧されると、検知回路の一部を構成する一対の接点同士が導通され、検知回路は閉状態となる。検知回路が閉じられることで、検知回路は、取り外し状態を検知する。そして、取り外し状態を検知することで、検知回路は、割り当て機能、例えばオンフック機能のオフを検知する。
【００３４】
つぎに、図６を参照し、マイクロホンがホルダー４０に係止された係止状態について説明する。マイクロホンをホルダー４０に係止する場合には、フック１０をホルダー４０に係止する。具体的には、リアケース５の外面とフック１０のフランジ部１４との隙間にホルダー４０を挿入させ、加えて、スリット４１の上方からフック１０のロッド部１２をスリット４１に挿入させる。これにより、ホルダー４０に対してマイクロホンが係止される。
【００３５】
係止状態の場合には、リアケース５の外面とフランジ部１４との間にホルダー４０が挟み込まれる。このため、ホルダー４０の板厚に応じて、フック１０がケース１の外側へと引き出され、ロッド部１２が基板２から所定距離だけ後退する。ロッド部１２が基板２から後退すると、ロッド部１２の第１端部１２ａが可動子２１ａから離間するので、可動子２１ａの押圧が解除される。
【００３６】
可動子２１ａの押圧が解除されると、検知回路の一部を構成する一対の接点同士が遮断され、検知回路は開状態となる。検知回路が開かれることで、検知回路は、係止状態を検知する。そして、係止状態を検知することで、検知回路は、割り当て機能、例えばオンフックの機能のオンを検知する。
【００３７】
このように本実施形態のマイクロホンによれば、ケース１の内部に挿通されたロッド部１２が、基板２に対して進退することで検知回路の開閉を切り替えている。基板２、ロッド部１２に付勢力を与える圧縮ばね１６、及びロッド部１２の一部は、ケース１の内部に存在している。このため、所要の部品がケース１の内部で保護されるので、ケース１の外部の露出することを要因とする接触不良を抑制することができる。また、所要の部品がケース１の内部で保護されるので、誤検知を抑制することができる。
【００３８】
加えて、導通部位がケース１の外部に露出しないので、防水性の向上を図ることができる。
【００３９】
さらに、検知回路を開閉するための部品点数が少ないので、装置の簡素化及びコストの低減を図ることができる。
【００４０】
また、ロッド部１２の進退動作を通じて検知回路の開閉を行っているので、フック１０及びホルダー４０は、導電性を有する材料で形成する必要がない。これにより、材料選択の幅を広げることができ、併せてコストの低減を図ることができる。
【００４１】
また、本実施形態のマイクロホンによれば、検知回路がスイッチ２１を備えている。このスイッチ２１を介して、ロッド部１２の進退動作を検知回路の開閉へと繋げることができる。これにより、係止状態と取り外し状態とを適切に検知することができる。
【００４２】
なお、本実施形態では、スイッチ２１を介して検知回路の開閉を切り替えている。しかしながら、スイッチ２１を用いずに、検知回路の開閉を行ってもよい。例えば、ロッド部１２の第１端部１２ａに、金属などの導電性の材料から形成された導通部材を設けといった如くである。ロッド部１２が基板２側へと進出し、第１端部１２ａの導通部材が一対の接点にそれぞれ当接することで、この一対の接点間を導通するこができる。逆に、ロッド部１２が基板２から後退し、第１端部１２ａの導通部材が一対の接点から離間することで、一対の接点間を遮断するこができる。これにより、スイッチ２１を用いた場合と同様の機能を得ることができる。
【００４３】
また、本実施形態のマイクロホンにおいて、嵌合孔５ａとロッド部１２との嵌合部には、シール部材１３が設けられている。これにより、ケース１の気密性を高めることができるので、マイクロホンの防水性の向上を図ることができる。
【００４４】
なお、上述した実施形態では、ロッド部１２を基板２側へと付勢する付勢部材として、圧縮ばね１６を用いた。しかしながら、付勢部材は、圧縮ばね１６に限られない。例えば、基板２とロッド部１２との間に引張ばねを設け、引張ばねによる引張力によりロッド部１２を基板２側に付勢してもよい。
【００４５】
以上詳述した実施形態は、上述の構成に限定されるものではなく、本発明の要旨を逸脱しない範囲において変形した変形例としてもよい。
【符号の説明】
【００４６】
１    ケース
２    基板
４    フロントケース
５    リアケース
５ａ  嵌合孔
１０    フック
１２    ロッド部
１３    シール部材
１４    フランジ部
１６    圧縮ばね
２１    スイッチ
２１ａ  可動子
４０    ホルダー
【図１】
2022000936.tif 000003
【図２】
2022000936.tif 000004
【図３】
2022000936.tif 000005
【図４】
2022000936.tif 000006
【図５】
2022000936.tif 000007
【図６】
2022000936.tif 000008